(57)【要約】      （修正有）【課題】リニューアルされた後も、古い機器の据付調整データを有効に活用する。【解決手段】据付調整機器に関する機器情報を号機毎に設定して記憶する機器情報設定部１１と、エレベータ側で据付調整を行った際の据付調整データを機器情報と紐付けて記憶する据付調整データ記憶部１４と、紐付けられている機器情報とは異なる機器情報が設定入力されたことを認識する機器変更認識部１２と、異なる機器情報が設定入力されたことが認識された場合には、記憶されている据付調整データを新たに設定入力された機器情報に対応する据付調整データに変換する据付調整データ変換部１３と、エレベータ側の送信要求に応じて、据付調整データを該当するエレベータに送信する据付調整データ送信部１６とを備える。【選択図】図１
2019018938.tif 000002
【特許請求の範囲】
【請求項１】
通信回線を介して管理対象となるエレベータと遠隔接続され、据付調整対象である据付調整機器を管理する据付調整データ管理装置において、
前記据付調整機器に関する機器情報を前記エレベータの号機毎に設定して記憶する機器情報設定部と、
エレベータ側で前記据付調整機器に対する据付調整を行った際の据付調整データを前記機器情報と紐付けて記憶する据付調整データ記憶部と、
前記機器情報設定部によって、前記据付調整データ記憶部に記憶されている据付調整データと紐付けられている機器情報とは異なる機器情報が設定入力されたことを認識する機器変更認識部と、
機器変更認識部によって異なる機器情報が設定入力されたことが認識された場合には、前記据付調整データ記憶部に記憶されている据付調整データを新たに設定入力された機器情報に対応する据付調整データに変換する据付調整データ変換部と、
エレベータ側の送信要求に応じて、前記据付調整データを該当するエレベータに送信する据付調整データ送信部と、
を備えることを特徴とする据付調整データ管理装置。
【請求項２】
エレベータ側から送信された機器情報を受信して、前記エレベータに使用されている据付機器の機器情報を認識する機器情報認識部を備え、
前記据付調整データ変換部は、前記機器情報認識部によって認識された機器情報が新たな機器情報である場合には、機器情報と紐付けられている据付調整データを前記新たな機器情報で使用可能なデータに変換する、
ことを特徴とする請求項１に記載の据付調整データ管理装置。
【請求項３】
前記据付調整データ記憶部に記憶されている据付調整データに紐付けされている機器情報と異なる機器情報が設定されているか否かを検知する機器変更認識部と、
前記機器変更認識部によって異なる機器情報が設定されていると認識された場合には、機器情報が一致しない旨を報知する報知部と、
を更に備えることを特徴とする請求項１又は２に記載の据付調整データ管理装置。
【請求項４】
一のエレベータから送信された機器情報を認識する機器情報認識部と、
前記機器情報認識部で認識された機器情報と、予め機器情報を保存する機器情報保存部に保存されている機器情報とが一致する場合には、当該機器情報と紐付けられた据付調整データを前記一のエレベータで共通して利用できるものとして扱う適用機器照合部と、
を更に備えることを特徴とする請求項１乃至３の何れか１に記載の据付調整データ管理装置。
【請求項５】
エレベータ側の据付調整機器を構成する機器の特性値を認識する機器特性値認識部と、
前記機器特性値認識部で認識された機器の特性値を特性値に基づき、機器の据付調整データを変換し、その変換後の調整データを前記据付調整データ記憶部に記憶させる機器調整データ変換部と、
を更に備えることを特徴とする請求項1乃至４の何れか１項に記載の据付調整データ管理装置。
【請求項６】
エレベータ側から送信された据付調整データの妥当性を検証する据付調整データ検証部と、
検証の結果、据付調整データに妥当性が無い場合には、その旨を報知する報知部と、
を更に備えることを特徴とする請求項１乃至５の何れか１項に記載の据付調整データ管理装置。
【請求項７】
請求項１乃至６の何れか１項に記載の据付調整データ管理装置と、
前記据付調整データ管理装置と通信回線を介して接続されたエレベータ制御装置と、
前記エレベータ制御装置によって管理される据付調整機器とを備え、
前記エレベータ制御装置は、
据付調整に関する据付調整データが記憶されたエレベータ側据付調整データ記憶部と、
前記エレベータ側据付調整データ記憶部に記憶されている据付調整データに基づいて前記据付調整機器の据付調整を実行する据付調整制御部と、
を備えることを特徴とする据付調整データ管理システム。
【請求項８】
請求項１乃至６の何れか１項に記載の据付調整データ管理装置と、
前記据付調整データ管理装置と通信回線を介して接続されたエレベータ制御装置と、
前記エレベータ制御装置によって管理され、据付調整機器とを備え、
前記据付調整機器は、
自機器の据付調整に関する据付調整データが記憶された機器側据付調整データ記憶部と、
前記機器側据付調整データ記憶部に記憶されている据付調整データに基づいて据付調整を実行する据付調整制御部と、
を備えることを特徴とする据付調整データ管理システム。
【発明の詳細な説明】
【技術分野】
【０００１】
本発明の実施形態は、据付調整データ管理装置及び据付調整データ管理システムに関する。
【背景技術】
【０００２】
従来、エレベータが設置された現場において、リニューアル等でエレベータを構成する機器の交換や一部変更等の据付工事が実施された場合、据付工事後の据付調整は、現場の作業員が手動にて行っていた。
【０００３】
上述したエレベータの据付調整は、各号機の特性を考慮して号機毎に行われる。号機毎に据付調整されたデータは据付調整データとして、例えばデータバンクに登録しておき、保守や改造等の調整データ復元用に使用されている。
【先行技術文献】
【特許文献】
【０００４】
【特許文献１】特開昭６３−１８５７８４号公報
【発明の概要】
【発明が解決しようとする課題】
【０００５】
しかし、従来では、エレベータのリニューアル等でエレベータを構成する機器を交換すると、登録されているリニューアル前の古い機器の据付調整データは使用することができない。そのため、新しい機器に交換した場合には、作業員が手動にて調整しなければならないのが現状である。
【０００６】
本発明は上記事情に鑑みてなされたものであり、エレベータを構成する機器がリニューアルされた後も、古い機器に関する据付調整データを有効に活用することができる据付調整データ管理装置及び据付調整データ管理システムを提供することを目的とする。
【課題を解決するための手段】
【０００７】
上記目的を達成するための態様は、通信回線を介して管理対象となるエレベータと遠隔接続され、据付調整対象である据付調整機器を管理する据付調整データ管理装置において、前記据付調整機器に関する機器情報を前記エレベータの号機毎に設定して記憶する機器情報設定部と、エレベータ側で前記据付調整機器に対する据付調整を行った際の据付調整データを前記機器情報と紐付けて記憶する据付調整データ記憶部と、前記機器情報設定部によって、前記据付調整データ記憶部に記憶されている据付調整データと紐付けられている機器情報とは異なる機器情報が設定入力されたことを認識する機器変更認識部と、機器変更認識部によって異なる機器情報が設定入力されたことが認識された場合には、前記据付調整データ記憶部に記憶されている据付調整データを新たに設定入力された機器情報に対応する据付調整データに変換する据付調整データ変換部と、エレベータ側の送信要求に応じて、前記据付調整データを該当するエレベータに送信する据付調整データ送信部と、を備える。
【図面の簡単な説明】
【０００８】
【図１】第１実施形態による据付調整データ管理システムの構成を示すブロック図。
【図２】第１実施形態による据付調整データ管理システムの処理手順を示すフローチャート。
【図３】第１実施形態による据付調整データ管理システムの処理手順を示すフローチャート。
【図４】第２実施形態によるエレベータの据付調整データ管理システムの構成を示すブロック図。
【図５】第３実施形態によるエレベータの据付調整データ管理システムの構成を示すブロック図。
【図６】第３実施形態による据付調整データ管理システムの処理手順を示すフローチャート。
【図７】第４実施形態によるエレベータの据付調整データ管理システムの構成を示すブロック図。
【図８】第４実施形態による据付調整データ管理システムの処理手順を示すフローチャート。
【図９】第５実施形態によるエレベータの据付調整データ管理システムの構成を示すブロック図。
【図１０】第５実施形態による据付調整データ管理システムの処理手順を示すフローチャート。
【図１１】第６実施形態によるエレベータの据付調整データ管理システムの構成を示すブロック図。
【図１２】第６実施形態による据付調整データ管理システムの処理手順を示すフローチャート。
【図１３】第７実施形態によるエレベータの据付調整データ管理システムの構成を示すブロック図。
【図１４】第７実施形態による据付調整データ管理システムの処理手順を示すフローチャート。
【発明を実施するための形態】
【０００９】
＜第１実施形態＞
本発明の第１実施形態によるエレベータの据付調整データ管理システム１Ａの構成について、図１を参照して説明する。
【００１０】
第１実施形態のエレベータの据付調整データ管理システム１Ａは、管理対象となるエレベータの設置個所とは離れた遠隔地の管理センター等に設置された据付調整データ管理装置１０Ａと、エレベータ側に設けられたエレベータ制御装置３０Ａとを備え、据付調整データ管理装置１０Ａとエレベータ制御装置３０Ａとは通信回線４０を介して接続されている。
【００１１】
本実施形態の据付調整データ管理システム１Ａは、エレベータ内に設置されているドアの開閉制御を行うドアコントロールユニット５０Ａの据付調整を自動にて行うものとする。なお、据付調整データ管理システム１Aが据付調整対象とするエレベータ機器（以下、「据付調整機器」とも称する）はドアコントロールユニット５０Ａに限られず、エレベータかごが所定の階床位置に停止したことを検出する着検板の据付調整等にも適用可能である。
【００１２】
据付調整データ管理装置１０Ａは、機器情報設定部１１と、機器変更認識部１２と、据付調整データ変換部１３と、管理側据付調整データ記憶部１４と、管理側据付調整データ受信部１５と、管理側据付調整データ送信部１６と、管理側通信部１７とを備えている。
【００１３】
機器情報設定部１１は、入力部１１１と、機器情報保存部１１２とから構成されている。入力部１１１は、据付調整機器に関する機器情報を管理対象となるエレベータの号機毎に設定する。例えば、据付調整機器としてのドアコントロールユニット５０Ａの型式がDU010であれば、型式や製造番号、型式DU010を構成するモータやセンサ等の性能や特性等、種々の機器情報を入力する。機器情報保存部１１２は、入力部１１１から設定入力された号機毎の機器情報を保存する。
【００１４】
機器変更認識部１２は、管理側据付調整データ記憶部１４に記憶されている据付調整データと紐付けられた機器情報とは異なる機器情報が機器情報設定部１１によって設定入力された場合には、これを認識する。
【００１５】
据付調整データ変換部１３は、機器変更認識部１２によって、異なる機器情報が設定入力されたことが認識された場合には、管理側据付調整データ記憶部１４に記憶されている据付調整データを新たな据付調整機器で使用可能な据付調整データに変換する。
【００１６】
管理側据付調整データ記憶部１４は、エレベータの号機毎に現場で据付調整した際の据付調整データと、機器情報設定部１１の機器情報保存部１１２に保存された据付調整機器に関する機器情報とを紐付けて記憶する。
【００１７】
管理側据付調整データ受信部１５は、エレベータ制御装置３０Ａ側から送信された新たな据付調整データを受信して、管理側据付調整データ記憶部１４に記憶させる。
【００１８】
管理側据付調整データ送信部１６は、エレベータ制御装置３０Ａに対して据付調整データを送信する。
【００１９】
管理側通信部１７は、エレベータ制御装置３０Ａとの間で据付調整データや機器情報等、種々のデータの通信制御を行う。
【００２０】
エレベータ制御装置３０Ａは、エレベータの号機毎に設けられ、エレベータ側（以下、ＥＬ側と略す）通信部３１と、ＥＬ側据付調整データ受信部３２と、ＥＬ側据付調整データ記憶部３３と、据付調整制御部３４と、ＥＬ側据付調整データ送信部３５とを備えている。
【００２１】
ＥＬ側通信部３１は、据付調整データ管理装置１０Ａとの間で、機器情報や据付調整データ等、種々のデータの通信制御を行う。
【００２２】
ＥＬ側据付調整データ受信部３２は、据付調整データ管理装置１０Ａから送信された新たな据付調整データを受信して、ＥＬ側据付調整データ記憶部３３に記憶させる。
【００２３】
ＥＬ側据付調整データ記憶部３３は、据付調整機器に関する機器情報と据付調整データとを紐付けて記憶する。
【００２４】
据付調整制御部３４は、据付管理対象となるドアコントロールユニット（以下、「ＤＵ」とも称する）５０Ａの据付調整を実施する。
【００２５】
ＥＬ側据付調整データ送信部３５は、据付調整データ管理装置１０Ａからの送信要求に応じてＥＬ側据付調整データ記憶部３３に記憶されている据付調整データをＥＬ側通信部３１及び通信回線４０を介して据付調整データ管理装置１０Ａ送信する。
【００２６】
次に、第１実施形態の作用を図２、図３のフローチャートを参照して説明する。
【００２７】
初めに、据付調整データの記憶処理について説明する。エレベータを構成する各機器が現場に据え付けられた場合、単に、据え付けただけでは、快適なエレベータの運用はできない。機器毎の特徴、各号機が設置されている場所や建屋の特徴（風が強い場所、寒冷地の建屋）等に基づいて据付調整を行う必要がある。実施形態における据付調整データ管理装置１０Ａでは、エレベータを構成する各機器に関する情報（機器情報）と据付調整データとを紐付けて事前に記憶させている。
【００２８】
すなわち、機器情報設定部１１の入力部１１１から機器情報が入力されると、一旦、機器情報保存部１１２に保存される（ステップＳＴ１）。次いで、エレベータ制御装置３０Ａに対して、機器情報に対応する据付調整データの送信を要求する（ステップＳＴ２）。エレベータ制御装置３０Ａは、機器情報に対応する据付調整データの送信要求があると（ステップＳＴ４YES）、ＥＬ側据付調整データ記憶部３３に記憶されている据付調整データを据付調整データ送信部３５、ＥＬ側通信部３１、通信回線４０を介して据付調整データ管理装置１０Ａに送信する（ステップＳＴ６）。据付調整データ管理装置１０Ａは、据付調整データが受信されると（ステップＳＴ３YES）、機器情報と受信した据付調整データとを紐付けて管理側据付調整データ記憶部１４に記憶させる（ステップＳＴ４）。ステップＳＴ１〜ＳＴ６の処理を繰り返して、機器情報と最新の据付調整データとを紐付けて記憶する。
【００２９】
上述した機器情報と対応する据付調整データとが紐付けられて記憶された状態で、機器情報に変更があったと想定する。例えば、リニューアル工事において、ドアコントロールユニット５０Ａの構成が型式DU010からDU020に変更になった場合を想定する。型式DU010の据付調整データは既に管理側据付調整データ記憶部１４及びＥＬ側据付調整データ記憶部３３に記憶されている。しかし、DU010の据付調整データは、そのままではDU020の据付調整データとして使用することはできない。例えば、型式DU010とDU020とでは、ドア速度パターンが異なっていたり、モータ電流が異なっていたり、センサの感度が異なっていたりする。
【００３０】
図３に示すように、据付調整データと紐付けられた旧機器情報とは異なる新たな機器情報が機器情報設定部１１によって設定入力されたことが認識されると（ステップＳＴ１１YES）、据付調整データ変換部１３は、旧機器情報であるDU010の据付調整データを新たな機器情報であるDU020で使用可能な据付調整データに変換する（ステップＳＴ１２）。新たな据付調整データは、新たな機器情報(DU020)と紐付けられて管理側据付調整データ記憶部１４に記憶される（ステップＳＴ１３）。記憶された据付調整データに対して、エレベータ制御装置３０Ａから送信要求があると、新たな据付調整データをエレベータ制御装置３０Ａに送信する（ステップＳＴ１４）。エレベータ制御装置３０Ａは、新たな据付調整データを受信すると（ステップＳＴ１５）、受信した新たな据付調整データをＥＬ側据付調整データ記憶部３３に記憶させて（ステップＳＴ１６）、管理側据付調整データ記憶部１４の据付調整データとの整合性を確保する。
【００３１】
このように第１実施形態によれば、据付調整機器を新しい機器に交換したときには、交換前の旧据付調整機器の据付調整データを使用することができ、作業員による据付再調整が不要となる。
【００３２】
＜第２実施形態＞
図４は、第２実施形態によるエレベータの据付調整データ管理システム１Ｂの構成を示している。なお、図１に示した第１実施形態と同一構成部分には同一符号を付して説明を省略する。
【００３３】
第１実施形態では、据付調整機器であるドアコントロールユニット５０Ａの据付調整は、エレベータ制御装置３０Ａ内にＥＬ側据付調整データ記憶部３３と、据付調整制御部３４とを設け、据付調整機器であるドアコントロールユニット５０Ａの据付調整はエレベータ制御装置３０Ａ側で行うようにした。
【００３４】
第２実施形態のエレベータの据付調整データ管理システム１Ｂでは、ドアコントロールユニット５０Ｂ内にＤＵ側据付調整データ記憶部５１と、ＤＵ側据付調整制御部５２とを設け、自機器内で据付調整を実行することを特徴としている。
【００３５】
ＤＵ側据付調整データ記憶部５１は、自機の据付調整に関する据付調整データを記憶する。
【００３６】
ＤＵ側据付調整制御部５２は、ＤＵ側据付調整データ記憶部５１に記憶されている据付調整データに基づいて自機の据付調整制御を実行する。
【００３７】
第２実施形態では、ＤＵ側据付調整制御部５２がＤＵ側据付調整データ記憶部５１の据付調整データに基づいてドアコントロールユニット５０Ｂの据付調整制御を実行する。また、ＤＵ側据付調整データ記憶部５１内の据付調整データは、必要に応じて、エレベータ制御装置３０Ｂ内のＥＬ側据付調整データ送信部３５から据付調整データ管理装置１０Ａに送信される。なお、それ以外の基本的な処理は、第１実施形態と同様、エレベータ制御装置３０Ｂが実行するため、詳細な説明は省略する。
【００３８】
このように、第２実施形態によれば、自機器内で据付調整が実行できるので、ドアコントロールユニット５０Ｂ単位での微調整が可能となる。
【００３９】
＜第３実施形態＞
図５は、第３実施形態によるエレベータの据付調整データ管理システム１Ｃの構成を示している。なお、図１に示した第１実施形態と同一構成部分には同一符号を付して説明を省略する。
【００４０】
第３実施形態によるエレベータの据付調整データ管理システム１Ｃは、現場側で機器変更があった場合、変更された据付機器（ドアコントロールユニット５０Ａ）に関する機器情報をエレベータ制御装置３０Ｃ側から据付調整データ管理装置１０Ｂ側に送信することを特徴としている。
【００４１】
第３実施形態の据付調整データ管理装置１０Ｂは、機器情報設定部１１と、機器変更認識部１２と、据付調整データ変換部１３と、管理側据付調整データ記憶部１４と、管理側据付調整データ受信部１５と、管理側据付調整データ送信部１６と、管理側通信部１７とを備えることに加え、機器情報認識部１８を備えることを特徴としている。
【００４２】
機器情報認識部１８は、エレベータ制御装置３０Ｃから新たな機器情報が送信された場合には、この機器情報が新たな機器情報か否かを判定し、新たな機器情報と認識した場合には、据付調整データ変換部１３に新たな機器情報を出力する。
【００４３】
据付調整データ変換部１３は、機器情報認識部１８によって、新たな機器情報が送信されたことが認識された場合には、管理側据付調整データ記憶部１４に記憶されている据付調整データを新たな機器情報に対応可能となるように変換する。
【００４４】
また、第３実施形態のエレベータ制御装置３０Ｃは、ＥＬ側通信部３１と、ＥＬ側据付調整データ受信部３２と、ＥＬ側据付調整データ記憶部３３と、据付調整制御部３４と、ＥＬ側据付調整データ送信部３５とを備えることに加え、更に、ＥＬ側機器情報認識部３６と、ＥＬ側機器情報送信部３７とを備えることを特徴としている。
【００４５】
ＥＬ側機器情報認識部３６は、据付機器であるドアコントロールユニット５０Ａの機器情報を認識する。
【００４６】
ＥＬ側機器情報送信部３７は、ＥＬ側機器情報認識部３６で認識されたドアコントロールユニット５０Ａの機器情報をＥＬ側通信部３１及び通信回線４０を介して据付調整データ管理装置１０Ｂへ送信する。
【００４７】
次に、第３実施形態の処理手順を図６のフローチャートを参照して説明する。
【００４８】
図６のフローチャートに示すように、機器情報認識部１８は、エレベータ制御装置３０Ｃからの機器情報の受信を監視している（ステップＳＴ２１）。エレベータ制御装置３０Ｃからの機器情報が受信されると、機器情報を認識し（ステップＳＴ２２）、認識した機器情報が新たな機器情報であれば（ステップＳＴ２３YES）、据付調整データ変換部１３に対してデータの変換指令を出力する。据付調整データ変換部１３は、管理側据付調整データ記憶部１４に記憶されている据付調整データを新たな危機情報で使用可能な据付調整データに変換する（ステップＳＴ２４）。認識した機器情報が新たな機器情報でなければ（ステップＳＴ２３NO）、据付調整データ変換部１３に対してデータの変換指令を出力することなく処理は終了する。
【００４９】
このように、第３実施形態によれば、機器が変更になった場合、エレベータ制御装置３０Ｃから据付調整データ管理装置１０Ｂに対して、どのような種類で型式は何かといった新たな機器情報を通知するようにした。このため、機器変更に対応して据付調整データを自動変更でき、作業員が手作業で機器変更に対応することが無いので、据付調整処理を効率的に行うことができる。
【００５０】
＜第４実施形態＞
図７は、第４実施形態によるエレベータの据付調整データ管理システム１Ｄの構成を示している。なお、図１に示した第１実施形態と同一構成部分には同一符号を付して説明を省略する。
【００５１】
第４実施形態によるエレベータの据付調整データ管理システム１Ｄは、第３実施形態のように、据付機器（ドアコントロールユニット５０Ａ）に関する機器情報をエレベータ制御装置３０Ｃ側から据付調整データ管理装置１０Ｃ側に送信した際、据付調整データ管理装置１０Ｃ側に記憶されている機器情報と一致しない場合に、その旨を作業員端末６０に通知することを特徴としている。
【００５２】
第４実施形態の据付調整データ管理装置１０Ｃは、機器情報設定部１１と、機器変更認識部１２と、据付調整データ変換部１３と、管理側据付調整データ記憶部１４と、管理側据付調整データ受信部１５と、管理側据付調整データ送信部１６と、管理側通信部１７とを備えることに加え、機器情報受信部１９と、機器情報照合部２０と、報知部２１とを備えることを特徴としている。
【００５３】
また、通信回線４０には、据付調整を行う作業員が所持する作業員端末６０が接続されており、据付調整データ管理装置１０Ｃ及びエレベータ制御装置３０Ｃとの間での相互のデータの授受に使用される。
【００５４】
機器情報受信部１９は、エレベータ制御装置３０Ｃから送信される機器情報を受信する。
【００５５】
機器情報照合部２０は、機器情報受信部１９で受信された機器情報と機器情報保存部１１２に保存されている機器情報とを照合して、一致しない場合には、作業員端末６０にその旨を通知するように報知部２１に指示する。
【００５６】
報知部２１は、機器情報が一致しない場合に作業員端末６０に一致しない旨を通知する。
【００５７】
次に、第４実施形態の処理手順を図８のフローチャートを参照して説明する。
【００５８】
図８のフローチャートに示すように、機器情報受信部１９は、エレベータ制御装置３０Ｃからの機器情報の受信を監視している（ステップＳＴ３１）。エレベータ制御装置３０Ｃからの機器情報が受信されると、機器情報照合部２０は、受信した機器情報と機器情報保存部１１２に保存されている機器情報とを照合する（ステップＳＴ３２）。
【００５９】
照合の結果、受信した機器情報と保存されている機器情報とが不一致の場合（ステップＳＴ３３YES）には、報知部２１は、作業員端末６０に対して、「送信された機器情報は管理されている機器情報と一致しない」旨のメッセージを通知する（ステップＳＴ３４）。一致する場合（ステップＳＴ３３YES）には、第３実施形態と同様、受信した機器情報に基づき、管理側据付調整データ記憶部１４に記憶されている据付調整データを抽出してエレベータ制御装置３０Ｃに送信する。
【００６０】
このように、第４実施形態によれば、エレベータ制御装置３０Ｃから送信された機器情報が機器情報保存部１１２に保存されている機器情報と一致しない場合には、作業員端末６０に通知することができるので、機器情報に対応する据付調整データの整合性を保持することができ、確実な据付調整作業を実行できる。
【００６１】
＜第５実施形態＞
図９は、第５実施形態によるエレベータの据付調整データ管理システム１Ｅの構成を示している。なお、図１に示した第１実施形態と同一構成部分には同一符号を付して説明を省略する。
【００６２】
第５実施形態によるエレベータの据付調整データ管理システム１Ｅは、据付調整データ管理装置１０Ｄが複数のエレベータ制御装置を管理している場合、各エレベータ制御装置が管轄する据付調整機器で共通する据付調整データが有る場合には、その据付調整データを援用するようにしている。
【００６３】
第５実施形態では、通信回線４０には、１号機用のエレベータ制御装置３０Ｃと２号機用のエレベータ制御装置７０とが接続されている。２号機用のエレベータ制御装置７０はドアコントロールユニット８０を制御している。
【００６４】
第５実施形態の据付調整データ管理装置１０Ｄは、機器情報設定部１１と、機器変更認識部１２と、据付調整データ変換部１３と、管理側据付調整データ記憶部１４と、管理側据付調整データ受信部１５と、管理側据付調整データ送信部１６と、管理側通信部１７とを備えることに加え、機器情報認識部１８と、適用機器照合部２２とを備えることを特徴としている。
【００６５】
機器情報認識部１８は、エレベータ制御装置３０ｃ，７０から送信された機器情報を認識する。
【００６６】
適用機器照合部２２は、機器情報認識部１８で認識された機器情報と機器情報保存部１１２に保存されている機器情報とが一致する、すなわち、該当する機器が存在するか否かを判定する機能を有する。
【００６７】
次に、第５実施形態の処理手順を図１０のフローチャートを参照して説明する。
【００６８】
図１０のフローチャートに示すように、機器情報認識部１８は、２号機用のエレベータ制御装置７０からの機器情報を受信する（ステップＳＴ４１）と、適用機器照合部２２は、受信した機器情報と機器情報保存部１１２に保存されている機器情報とを照合する（ステップＳＴ４２）。
【００６９】
照合の結果、受信した機器情報と保存されている機器情報とが一致する場合（ステップＳＴ４３YES）には、据付調整データ記憶部１４に記憶されている据付調整データを２号機でも共通して利用できるものとして扱うため、送信されてきた機器情報と据付調整データとを紐付けて記憶する（ステップＳＴ４４）。２号機の機器情報が新しい機器情報であれば、対応する新たな据付調整データと紐付けて記憶する（ステップＳＴ４５）。
【００７０】
そして、管理装置側据付調整データ記憶部１４に記憶された、２号機用のエレベータ制御装置７０の機器情報に対応する据付調整データを２号機のエレベータ制御装置７０に送信する（ステップＳＴ４６）。２号機のエレベータ制御装置７０は、送信された据付調整データによって、管轄のドアコントロールユニット８０の据付調整を実行する。
【００７１】
このように、第５実施形態によれば、エレベータ制御装置が管轄する複数の据付調整機器間に共通するものがあれば、相互に援用することができるので、無駄な据付調整データの保存を省くことができ、また、効率的な運用が可能となる。
【００７２】
＜第６実施形態＞
図１１は、第６実施形態によるエレベータの据付調整データ管理システム１Ｆの構成を示している。なお、図１に示した第１実施形態と同一構成部分には同一符号を付して説明を省略する。
【００７３】
第６実施形態によるエレベータの据付調整データ管理システム１Ｆでは、据付機器を構成する部品それぞれの特性に応じて異なる特性を持つ場合、その特性値を認識して機器調整データを変換するようにしている。
【００７４】
第６実施形態のエレベータ据付調整データ管理装置１０Ｅは、機器情報設定部１１と、機器変更認識部１２と、据付調整データ変換部１３と、管理側据付調整データ記憶部１４と、管理側据付調整データ受信部１５と、管理側据付調整データ送信部１６と、管理側通信部１７とを備えることに加え、機器特性値認識部２３と、機器調整データ変換部２４とを備えることを特徴としている。
【００７５】
機器特性値認識部２３は、エレベータ制御装置３０Ｃから送信された機器情報を受信して、機器情報に基づき、据付機器を構成する構成機器の特性値を認識する。
【００７６】
機器調整データ変換部２４は、機器特性値認識部２３が認識した構成機器の特性値に基づき、機器の据付調整データを変換し、その変換後の据付調整データを管理側据付調整データ記憶部１４に記憶させる。
【００７７】
次に、第６実施形態の処理手順を図１２に示すフローチャートを参照して説明する。
【００７８】
据付調整データ管理装置１０Ｅの管理側通信部１７は、エレベータ制御装置３０Ｃから機器情報の送信を監視している（ステップＳＴ５１）。エレベータ制御装置３０Ｃは、ＥＬ側機器情報送信部３７、ＥＬ側通信部３１を介してドアコントロールユニット５０Ａの末付機器に関する機器情報を据付調整データ管理装置１０Ｅに送信する。機器情報が管理側通信部１７を介して受信される（ステップＳＴ５１YES）と、機器特性値認識部２３は、エレベータ制御装置３０Ｃから送信された機器情報に基づき、ドアコントロールユニット５０Ａを構成する各構成機器の特性値を認識する（ステップＳＴ５２）。例えば、型式DU010の構成機器である電流センサの特性が全て同一とは限らない。機器が本来持つ固有値のバラツキのみならず、据付場所によっても特性が変化する場合がある。したがって、機器ごとの特性値を考慮して据付調整データも微調整を加味した値に変換する必要がある。
機器調整データ変換部２４は、据付調整データを特性値を加味したものに変換して、管理側据付調整データ記憶部１４に記憶させる（ステップＳＴ５３）。
【００７９】
このように、第６実施形態によれば、据付調整データを据付調整機器が持つ特性を考慮して微調整することができるので、きめ細かい据付調整が可能となる。
【００８０】
＜第７実施形態＞
図１３は、第７実施形態によるエレベータの据付調整データ管理システム１Ｇの構成を示している。なお、図１に示した第１実施形態と同一構成部分には同一符号を付して説明を省略する。
【００８１】
第７実施形態によるエレベータの据付調整データ管理システム１Ｇは、エレベータ制御装置側から送信されてきた据付調整データが妥当なものであるか否かを検証して妥当性を欠く場合には警告を発するように構成している。
【００８２】
第７実施形態のエレベータ据付調整データ管理装置１０Ｆは、機器情報設定部１１と、機器変更認識部１２と、据付調整データ変換部１３と、管理側据付調整データ記憶部１４と、管理側据付調整データ受信部１５と、管理側据付調整データ送信部１６と、管理側通信部１７とを備えることに加え、据付調整データ検証部２５と、報知部２６とを備えることを特徴としている。なお、エレベータ制御装置３０Ａは、第１実施形態と同一構成である。
【００８３】
据付調整データ検証部２５は、初期設定時等において、エレベータ制御装置側から送信されてきた据付調整データが妥当なものであるか否かを検証する。
【００８４】
報知部２６は、妥当性が無い旨のアラームを据付調整データ管理装置内に出力するとともに、通信回線４０を介し作業員端末６０に対して警報を通知する。
【００８５】
次に、第７実施形態の処理手順を図１４に示すフローチャートを参照して説明する。
【００８６】
据付調整データ検証部２５は、初期設定時等において、管理側据付調整データ記憶部１４に据付調整データを記憶する前に、エレベータ制御装置側から送信されてきた据付調整データの妥当性を検証する（ステップＳＴ６１）。例えば、現場側で作業員が据付調整したドア速度パターンが標準パターン内にあるか否かを検証する。検証の結果、妥当性がない場合（ステップＳＴ６２NO）には、報知部２６は、表示や音声にてアラームを出力するとともに、その旨を通信回線４０を介して作業員端末６０に通知する（ステップＳＴ６３）。妥当性がある場合（ステップＳＴ６２YES）には、送信されてきた据付調整データを機器情報と紐付けて管理側据付調整データ記憶部１４に記憶して処理は終了する。
【００８７】
第７実施形態によれば、初期調整時等において、作業員が調整した据付調整データに妥当性が無い場合には、作業員端末６０へ警報を通知するようにしているので、据付調整データとして異常なデータや不適合なデータが蓄積されていくのを未然に防止することができる。
【００８８】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８９】
１Ａ，１Ｂ，１Ｃ，１Ｄ，１Ｅ，１Ｆ，１Ｇ…据付調整データ管理システム、１０Ａ，１０Ｂ，１０Ｃ，１０Ｄ，１０Ｅ，１０Ｆ…据付調整データ管理装置、１１…機器情報設定部、１２…機器変更認識部、１３…据付調整データ変換部、１４…管理側据付調整データ記憶部、１５…管理側据付調整データ受信部、１６…管理側据付調整データ送信部、１７…管理側通信部、１８…機器情報認識部、１９…機器情報受信部、２０…機器情報照合部、２１…報知部、２２…適用機器照合部、２３…機器特性値認識部、２４…機器調整データ変換部、２５…据付調整データ検証部、２６…報知部、３０Ａ，３０Ｂ，３０Ｃ…エレベータ制御装置、３１…ＥＬ側通信部、３２…ＥＬ側据付調整データ受信部、３３…ＥＬ側据付調整データ記憶部、３４…据付調整制御部、３５…ＥＬ側据付調整データ送信部、３６…ＥＬ側機器情報認識部、３７…ＥＬ側機器情報送信部、４０…通信回線、５０Ａ，５０Ｂ…ドアコントロールユニット（ＤＵ、据付調整機器）、５１…ＤＵ側据付調整データ記憶部、５２…ＤＵ側据付調整制御部、６０…作業員端末、７０…（２号機用）エレベータ制御装置、８０…２号機のドアコントロールユニット。
【図１】
2019018938.tif 000003
【図２】
2019018938.tif 000004
【図３】
2019018938.tif 000005
【図４】
2019018938.tif 000006
【図５】
2019018938.tif 000007
【図６】
2019018938.tif 000008
【図７】
2019018938.tif 000009
【図８】
2019018938.tif 000010
【図９】
2019018938.tif 000011
【図１０】
2019018938.tif 000012
【図１１】
2019018938.tif 000013
【図１２】
2019018938.tif 000014
【図１３】
2019018938.tif 000015
【図１４】
2019018938.tif 000016
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
通信回線を介して管理対象となるエレベータと遠隔接続され、据付調整対象である据付調整機器を管理する据付調整データ管理装置において、
前記据付調整機器に関する機器情報を前記エレベータの号機毎に設定して記憶する機器情報設定部と、
エレベータ側で前記据付調整機器に対する据付調整を行った際の据付調整データを前記機器情報と紐付けて記憶する据付調整データ記憶部と、
前記機器情報設定部によって、前記据付調整データ記憶部に記憶されている据付調整データと紐付けられている機器情報とは異なる機器情報が設定入力されたことを認識する機器変更認識部と、
機器変更認識部によって異なる機器情報が設定入力されたことが認識された場合には、前記据付調整データ記憶部に記憶されている据付調整データを新たに設定入力された機器情報に対応する据付調整データに変換する据付調整データ変換部と、
エレベータ側の送信要求に応じて、前記据付調整データを該当するエレベータに送信する据付調整データ送信部と、を備え、更に、
前記据付調整データ記憶部に記憶されている据付調整データに紐付けされている機器情報と異なる機器情報が設定されているか否かを検知する機器変更認識部と、
前記機器変更認識部によって異なる機器情報が設定されていると認識された場合には、機器情報が一致しない旨を報知する報知部と、
を備えることを特徴とする据付調整データ管理装置。
【請求項２】
エレベータ側から送信された機器情報を受信して、前記エレベータに使用されている据付機器の機器情報を認識する機器情報認識部を備え、
前記据付調整データ変換部は、前記機器情報認識部によって認識された機器情報が新たな機器情報である場合には、機器情報と紐付けられている据付調整データを前記新たな機器情報で使用可能なデータに変換する、
ことを特徴とする請求項１に記載の据付調整データ管理装置。
【請求項３】
一のエレベータから送信された機器情報を認識する機器情報認識部と、
前記機器情報認識部で認識された機器情報と、予め機器情報を保存する機器情報保存部に保存されている機器情報とが一致する場合には、当該機器情報と紐付けられた据付調整データを前記一のエレベータで共通して利用できるものとして扱う適用機器照合部と、
を更に備えることを特徴とする請求項１に記載の据付調整データ管理装置。
【請求項４】
エレベータ側の据付調整機器を構成する機器の特性値を認識する機器特性値認識部と、
前記機器特性値認識部で認識された機器の特性値を特性値に基づき、機器の据付調整データを変換し、その変換後の調整データを前記据付調整データ記憶部に記憶させる機器調整データ変換部と、
を更に備えることを特徴とする請求項１乃至３の何れか１項に記載の据付調整データ管理装置。
【請求項５】
エレベータ側から送信された据付調整データの妥当性を検証する据付調整データ検証部と、
検証の結果、据付調整データに妥当性が無い場合には、その旨を報知する報知部と、
を更に備えることを特徴とする請求項１乃至４の何れか１項に記載の据付調整データ管理装置。
【請求項６】
請求項１乃至５の何れか１項に記載の据付調整データ管理装置と、
前記据付調整データ管理装置と通信回線を介して接続されたエレベータ制御装置と、
前記エレベータ制御装置によって管理される据付調整機器とを備え、
前記エレベータ制御装置は、
据付調整に関する据付調整データが記憶されたエレベータ側据付調整データ記憶部と、
前記エレベータ側据付調整データ記憶部に記憶されている据付調整データに基づいて前記据付調整機器の据付調整を実行する据付調整制御部と、
を備えることを特徴とする据付調整データ管理システム。
【請求項７】
請求項１乃至５の何れか１項に記載の据付調整データ管理装置と、
前記据付調整データ管理装置と通信回線を介して接続されたエレベータ制御装置と、
前記エレベータ制御装置によって管理される据付調整機器とを備え、
前記据付調整機器は、
自機器の据付調整に関する据付調整データが記憶された機器側据付調整データ記憶部と、
前記機器側据付調整データ記憶部に記憶されている据付調整データに基づいて据付調整を実行する据付調整制御部と、
を備えることを特徴とする据付調整データ管理システム。